(57)【特許請求の範囲】
【請求項１】
少なくとも一つの画像を入力する入力ステップと、
入力した画像と以前に入力した画像の差異を動きベクトルとして検出する検出ステップと、
検出した動きベクトルの縦横成分から基本画素部分を取り除き、該動きベクトルの縦横成分の補間画素部分に基づき、入力した画像を分類する分類ステップと、
前記分類ステップにおける分類の中で、画像数が最小である分類の画像の動きベクトルと、前記分類ステップにおける分類の中で、画像数が最大である分類の画像の動きベクトルと、の差だけ撮像板を移動させることで、前記入力した画像を記録する記録ステップと、
前記動きベクトルがとり得るすべての分類に関して、前記所定の枚数の画像を記録した時点で画像の入力を終了し、記録されている画像に基づき、前記入力した画像の解像度以上の画像を生成する生成ステップと、を具備する、画像入力方法。
【請求項２】
前記動きベクトルがとり得る分類の数は、前記入力した画像と前記生成する画像の縦横解像度比に応じて決定される請求項１記載の画像入力方法。
【請求項３】
インタレース画像を入力した場合、前記動きベクトルの縦成分に関して、前記補間画素部分と、前記基本画素部分の偶奇情報とに基づき前記入力した画像を分類する請求項１または２記載の画像入力方法。
【請求項４】
前記分類した結果、前記入力した画像と同じ分類にある動きベクトルを有する画像が所定の枚数だけ入力されていない場合、前記入力した画像を動きベクトルと共に送信し、送信された前記入力した画像と該動きベクトルとを受信及び記録し、記録されている前記入力した画像と前記動きベクトルに基づき、前記入力した画像の解像度以上の画像を生成する請求項１記載の画像入力方法。
【請求項５】
少なくとも一つの画像を入力する入力手段と、
入力した画像と以前に入力した画像との差異を動きベクトルとして検出する検出手段と、
前記検出手段により検出した前記動きベクトルの縦横成分から基本画素部分を取り除き、前記動きベクトルの縦横成分の補間画素部分に基づき、前記入力した画像を分類し、分類した画像に関する動きベクトルを含む情報を出力する分類手段と、
前記分類手段における分類の中で、画像数が最小である分類の画像の動きベクトルと、前記分類ステップにおける分類の中で、画像数が最大である分類の画像の動きベクトルと、の差だけ撮像板を移動させる移動手段と、
前記分類手段により出力される情報に応答して、前記入力した画像と同じ分類にある動きベクトルを有する画像が所定の枚数だけ入力されていない場合、前記入力した画像を動きベクトルと共に送信する送信手段と、
前記送信手段により送信された前記入力した画像と前記動きベクトルを受信する受信手段と、
前記受信手段により受信された前記入力した画像と前記動きベクトルを記録する記録手段と、
前記記録手段に記録されている前記入力した画像と前記動きベクトルに基づき、前記入力した画像の解像度以上の画像を生成する生成手段とを備えたことを特徴とする画像入力装置。
【請求項６】
前記入力手段がインタレース画像を入力した場合、前記分類手段は、前記動きベクトルの縦成分に関して、前記補間画素部分と、前記基本画素部分の偶奇情報とに基づき、前記入力した画像を分類する請求項５記載の画像入力装置。
【請求項７】
少なくとも一つの画像を入力する入力ステップと、
入力した画像と以前に入力した画像の差異を動きベクトルとして検出する検出ステップと、
検出した動きベクトルの縦横成分から基本画素部分を取り除き、該動きベクトルの縦横成分の補間画素部分に基づき、入力した画像を分類する分類ステップと、
前記分類ステップにおける分類の中で、画像数が最小である分類の画像の動きベクトルと、前記分類ステップにおける分類の中で、所定期間内における発生頻度が最も高い動きベクトルと、の差だけ撮像板を移動させることで、前記入力した画像を記録する記録ステップと、
前記動きベクトルがとり得るすべての分類に関して、前記所定の枚数の画像を記録した時点で画像の入力を終了し、記録されている画像に基づき、前記入力した画像の解像度以上の画像を生成する生成ステップと、を具備する、画像入力方法。
【請求項８】
少なくとも一つの画像を入力する入力手段と、
入力した画像と以前に入力した画像との差異を動きベクトルとして検出する検出手段と、
前記検出手段により検出した前記動きベクトルの縦横成分から基本画素部分を取り除き、前記動きベクトルの縦横成分の補間画素部分に基づき、前記入力した画像を分類し、分類した画像に関する動きベクトルを含む情報を出力する分類手段と、
前記分類手段における分類の中で、画像数が最小である分類の画像の動きベクトルと、前記分類ステップにおける分類の中で、所定期間内における発生頻度が最も高い動きベクトルと、の差だけ撮像板を移動させる移動手段と、
前記分類手段により出力される情報に応答して、前記入力した画像と同じ分類にある動きベクトルを有する画像が所定の枚数だけ入力されていない場合、前記入力した画像を動きベクトルと共に送信する送信手段と、
前記送信手段により送信された前記入力した画像と前記動きベクトルを受信する受信手段と、
前記受信手段により受信された前記入力した画像と前記動きベクトルを記録する記録手段と、
前記記録手段に記録されている前記入力した画像と前記動きベクトルに基づき、前記入力した画像の解像度以上の画像を生成する生成手段とを備えたことを特徴とする画像入力装置。
【発明の詳細な説明】
【０００１】
【発明の属する技術分野】
本発明は、撮像素子の解像度以上の解像度を有する画像を得る画像入力方法および装置に関し、特に、静止対象を複数回撮像して得た画像群と、画像間の動きベクトルとに基づき、基本画素位置以外の位置での画素値を算出することにより高解像度化を実現する画像入力方法および装置に関する。
【０００２】
【従来の技術】
撮像素子の解像度以上の解像度を有する画像を得る従来の方式は、例えばD. Keren、S. Peleg、及びR. Bradaによる“Image Sequence Enhancement Using Sub-pixel Displacement”(CVPR '88)と題する文献に記載されている。これは、静止した撮影対象を一つのカメラで連続撮影し、得られた複数の画像からカメラの解像度以上の画像を生成するアルゴリズムについて述べたものである。このアルゴリズムについて説明する。まず、連続撮影時にカメラをパンしながら画像を連続撮影する。次に、始めの画像とパン後の画像との間での動きベクトルを求め、動きベクトル分だけ補正して重ね合わせる。この時、動きベクトルの長さが補間画素であれば、パン後の画像の基本画素点が、始めの画像の補間画素点に重なる。この結果、始めの画像の補間画素点の値を得ることができ、解像度を向上させることが可能になる。実際には、精度を保証するために、補間画素点の値を一枚の画像から得るのではなく、複数の画像を動きベクトル分だけ補正して、始めの画像に重ね合わせ、複数の画像の画素点を利用して始めの画像の補間画素点の値を算出するために、単純平均やメディアンなどが用いられている。
【０００３】
【発明が解決しようとする課題】
しかしながら、前記したように、精度を保証するために複数の画像が必要であって、精度を保つためには相当数の画像が必要となる。
【０００４】
従来技術の第１の問題点としては、この複数画像の撮像は、カメラのパンや、人の手の微少な動きなどに頼るため、所望の（補間画素の）画素点を効率良く収集することが困難な点にある。この理由を次に説明する。
【０００５】
高解像度化に必要な、各画素点での画像の枚数（Ｎ）は、応用事例での各種パラメータからほぼ一意に決定可能である。すると、画素点の種類の数（Ｋ）とＮとの積の枚数だけ画像を収集すれば十分と思えるが、現実には、画素点の各種類をサンプルする確率が一様分布にならないため、Ｋ・Ｎよりも、５〜１０倍大きな枚数だけの収集が必要となる。この結果、収集した画像を記録するメモリの容量が膨大となるという意味で、従来の方式は非効率的なものであった。
【０００６】
また、従来技術の第２の問題点としては、入力画像がインタレース画像の場合、偶数フィールドと奇数フィールドとでサンプリング時刻が異なるため、これらを一枚の画像として扱うことができず、縦方向の画素間隔がノンインタレース画像に比べて２倍となり、補間画素点が増大し、結果として、上記第１の問題点よりも状況は悪化し、さらに画素点の収集が困難となる点にある。この関係を図４に示す。
【０００７】
図４において、補間画素点として縦横それぞれ０．５画素を想定している。ノンインタレース画像４０１の場合、４種類の画素点４０２、４０３、４０４、４０５があることがわかる。これら４種類の画素点に対応する画像があれば、０．５画素単位での画像を構成することができる。一方、インタレース画像４０６の場合、画素点は８種類４０７、４０８、４０９、４１０、４１１、４１２、４１３、４１４になり、４種類だけ画素点が増えることになる。
【０００８】
なお、インターレース画像４０６の場合に、画素点として８種類が必要な理由を次に述べる。インタレース画像４０６の場合、縦方向の画素点は２画素おきにしか存在しないため、ある一枚の画像データの画素点の集合は、偶数フィールドであれば白抜きの画素点４０７の集合だけとなる。これらの画素点をいくらか移動させて、０．５画素単位での画像を構成するには、全部で８通りの移動が必要となる。
【０００９】
さらに、従来技術の第３の問題点としては、このような従来の方式を、携帯情報端末、ＴＶ電話やデジタルスチルカメラなどの機能を備えた携帯電話に応用する場合、従来の方式が必要とする画像用メモリの容量やＣＰＵ性能は、携帯情報端末などの性能を越えるものとなり、実現性に乏しいという点にある。
【００１０】
また、メモリ容量やＣＰＵ性能が増大したとすると、消費電力の増大によるバッテリを大容量化する必要があり、それにより携帯情報端末などの体積や質量が増加することになるか、もしくはバッテリを大容量化しない場合、バッテリを継続して使用できる時間が減少することになる。
【００１１】
したがって、本発明は、上記従来の問題点に鑑みてなされたものであり、撮像素子の解像度以上の解像度を有する画像を得るために、インターレース画像が入力された場合でも、所望の画素点を効率良く収集可能な入力画像方法を提供すると共に、収集した画像を記録するメモリの容量を現実用途に適したものとして、携帯に利便な小型軽量の画像入力装置を提供することを目的とする。
【００１２】
【課題を解決するための手段】
前記の目的を達成するため、本発明の画像入力方法は、少なくとも一つの画像を入力する入力ステップと、入力した画像と以前に入力した画像の差異を動きベクトルとして検出する検出ステップと、検出した動きベクトルの縦横成分から基本画素部分を取り除き、該動きベクトルの縦横成分の補間画素部分に基づき、入力した画像を分類する分類ステップと、前記分類ステップにおける分類の中で、画像数が最小である分類の画像の動きベクトルと、前記分類ステップにおける分類の中で、画像数が最大である分類の画像の動きベクトルと、の差だけ撮像板を移動させることで、前記入力した画像を記録する記録ステップと、前記動きベクトルがとり得るすべての分類に関して、前記所定の枚数の画像を記録した時点で画像の入力を終了し、記録されている画像に基づき、前記入力した画像の解像度以上の画像を生成する生成ステップと、を具備することを特徴とする。
【００１３】
本発明の前記画像入力方法によれば、動きベクトルの補間画素成分に基づき入力画像を分類し、各分類の画像の枚数が所定の枚数を越えた場合には、その入力画像を記録しないことによって、高解像度化処理を適用するのに必要十分な画像枚数を確保することができ、所望の補間画素点を効率良く収集することが可能になる。
【００１４】
本発明の前記画像入力方法において、前記動きベクトルがとり得る分類の数は、前記入力した画像と前記生成する画像の縦横解像度比に応じて決定されることが好ましい。
【００１５】
この方法によれば、動きベクトルとして補間画素を適宜設定することにより、所望の解像度を有する画像を生成するのに必要な分類数を決定することができる。
【００１６】
また、本発明の前記画像入力方法において、インタレース画像を入力した場合、前記動きベクトルの縦成分に関して、前記補間画素部分と、前記基本画素部分の偶奇情報とに基づき、前記入力した画像を分類することが好ましい。
【００１７】
この方法によれば、動きベクトルの縦成分に関して、基本画素部分の偶奇情報も考慮して入力した画像を分類することで、入力した画像がインタレース画像の場合にも、所望の画素点を効率良く収集することが可能になる。
【００２０】
さらに、本発明の前記画像入力方法において、前記分類した結果、前記入力した画像と同じ分類にある動きベクトルを有する画像が所定の枚数だけ入力されていない場合、前記入力した画像を動きベクトルと共に送信し、送信された前記入力した画像と該動きベクトルとを受信及び記録し、記録されている前記入力した画像と前記動きベクトルに基づき、前記入力した画像の解像度以上の画像を生成することが好ましい。
【００２１】
この方法によれば、分類した結果記録すべき画像を送信し、受信側にて、高解像度画像を生成することで、画像用メモリの容量やＣＰＵ性能を、本方法を適用する携帯情報端末などの性能に見合った実現性のあるものにすることが可能になる。
【００２２】
前記の目的を達成するため、本発明の画像入力装置は、少なくとも一つの画像を入力する入力手段と、入力した画像と以前に入力した画像との差異を動きベクトルとして検出する検出手段と、前記検出手段により検出した前記動きベクトルの縦横成分から基本画素部分を取り除き、前記動きベクトルの縦横成分の補間画素部分に基づき、前記入力した画像を分類し、分類した画像に関する動きベクトルを含む情報を出力する分類手段と、前記分類手段における分類の中で、画像数が最小である分類の画像の動きベクトルと、前記分類ステップにおける分類の中で、画像数が最大である分類の画像の動きベクトルと、の差だけ撮像板を移動させる移動手段と、前記分類手段により出力される情報に応答して、前記入力した画像と同じ分類にある動きベクトルを有する画像が所定の枚数だけ入力されていない場合、前記入力した画像を動きベクトルと共に送信する送信手段と、前記送信手段により送信された前記入力した画像と前記動きベクトルを受信する受信手段と、前記受信手段により受信された前記入力した画像と前記動きベクトルを記録する記録手段と、前記記録手段に記録されている前記入力した画像と前記動きベクトルに基づき、前記入力した画像の解像度以上の画像を生成する生成手段とを備えたことを特徴とする。
【００２３】
本発明の前記画像入力装置によれば、動きベクトルの補間画素成分に基づき入力画像を分類し、各分類の画像の枚数が所定の枚数を越えた場合には、その入力画像を記録しないことによって、高解像度化処理を適用するのに必要十分な画像枚数を確保することができ、所望の補間画素点を効率良く収集することが可能になり、さらに、分類した結果記録すべき画像を送信し、受信側にて、高解像度画像を生成することで、画像用メモリの容量やＣＰＵ性能を、本装置を適用する携帯情報端末などの性能に見合った実現性のあるものにすることが可能になる。
【００２４】
本発明の前記画像入力装置において、前記入力手段がインタレース画像を入力した場合、前記分類手段は、前記動きベクトルの縦成分に関して、前記補間画素部分と、前記基本画素部分の偶奇情報とに基づき、前記入力した画像を分類することが好ましい。
【００２５】
この構成によれば、動きベクトルの縦成分に関して、基本画素部分の偶奇情報も考慮して入力した画像を分類することで、入力した画像がインタレース画像の場合にも、所望の画素点を効率良く収集することが可能になる。
【００２６】
前記の目的を達成するため、本発明の画像入力方法は、少なくとも一つの画像を入力する入力ステップと、入力した画像と以前に入力した画像の差異を動きベクトルとして検出する検出ステップと、検出した動きベクトルの縦横成分から基本画素部分を取り除き、該動きベクトルの縦横成分の補間画素部分に基づき、入力した画像を分類する分類ステップと、前記分類ステップにおける分類の中で、画像数が最小である分類の画像の動きベクトルと、前記分類ステップにおける分類の中で、所定期間内における発生頻度が最も高い動きベクトルと、の差だけ撮像板を移動させることで、前記入力した画像を記録する記録ステップと、前記動きベクトルがとり得るすべての分類に関して、前記所定の枚数の画像を記録した時点で画像の入力を終了し、記録されている画像に基づき、前記入力した画像の解像度以上の画像を生成する生成ステップと、を具備するものである。
【００２７】
前記の目的を達成するため、本発明の画像入力装置は、少なくとも一つの画像を入力する入力手段と、入力した画像と以前に入力した画像との差異を動きベクトルとして検出する検出手段と、前記検出手段により検出した前記動きベクトルの縦横成分から基本画素部分を取り除き、前記動きベクトルの縦横成分の補間画素部分に基づき、前記入力した画像を分類し、分類した画像に関する動きベクトルを含む情報を出力する分類手段と、前記分類手段における分類の中で、画像数が最小である分類の画像の動きベクトルと、前記分類ステップにおける分類の中で、所定期間内における発生頻度が最も高い動きベクトルと、の差だけ撮像板を移動させる移動手段と、前記分類手段により出力される情報に応答して、前記入力した画像と同じ分類にある動きベクトルを有する画像が所定の枚数だけ入力されていない場合、前記入力した画像を動きベクトルと共に送信する送信手段と、前記送信手段により送信された前記入力した画像と前記動きベクトルを受信する受信手段と、前記受信手段により受信された前記入力した画像と前記動きベクトルを記録する記録手段と、前記記録手段に記録されている前記入力した画像と前記動きベクトルに基づき、前記入力した画像の解像度以上の画像を生成する生成手段とを備えたものである。
【００２８】
【発明の実施の形態】
（実施の形態１）
図１は、本発明の実施の形態１による画像入力装置の構成を示すブロック図である。１０１は画像入力手段（入力手段）であって、撮像装置などにより得られた画像データを一定間隔で出力する。１０２は画像記憶手段であって、一枚分の画像データを記憶するだけの記憶容量を持ち、画像入力手段１０１から出力される画像データを記憶する。１０３は動きベクトル検出手段（検出手段）であって、画像記憶手段１０２が記憶している画像データ(以前の画像データ)と、画像入力手段１０１の出力する画像データ（現在の画像データ）との間での動きベクトルを算出する。ここで動きベクトルとは、現在の画像データをある移動量だけずらして以前の画像データと一致させた時の移動量のことである。なお、ここでは、動きベクトルとして、縦横０．５画素単位を想定している。１０４は分類手段であって、分類に用いる情報は動きベクトルの縦横成分の補間画素部分である。分類される画像データの動きベクトルには、（０．０，０．０）を含めて、（０．０，０．５）、（０．５，０．０）、及び（０．５，０．５）の4通りがある。
【００２９】
さらに、分類手段１０４は、これら4種類ごとにカウンタを持ち、入力された動きベクトルが属する分類のカウンタ値を１だけ増加させる。このカウンタ値が、所定値(例えば、１０)以下の場合に「記録ＯＫ」信号を、所定値を越えた場合に「記録ＮＧ」信号を、動きベクトルと共に出力する。なお、所定値とは、後述する画像生成手段１０６（生成手段）において必要となる各分類での画像枚数である。１０５は画像記録手段（記録手段）であって、分類手段１０４から「記録ＯＫ」信号が来た場合のみ、動きベクトルと、それに対応した画像入力手段１０１からの画像データとを記録する。１０６は画像生成手段であって、画像記録手段１０５の画像データと、本画像データに対応する動きベクトルと、画像記憶手段１０２の画像データとから、画像入力手段１０１に入力された画像の解像度を縦横２倍にした画像データを生成する。
【００３０】
以上の構成により、動きベクトルの補間画素成分に基づき入力画像を分類し、各分類の画像の枚数が所定の枚数を越えた場合には、その画像を記録しないことによって、高解像度化処理に必要十分な画像枚数を確保した上で、不要な画像による画像記録手段１０５におけるメモリ容量の圧迫や増大を防ぐことができる。このようにして、所望の補間画素の画素点を効率良く収集することが可能になる。
【００３１】
なお、本実施形態では、動きベクトルの精度として０．５画素の場合を説明したが、０．２５画素の場合など、動きベクトルの精度を高めても良い。この場合、分類数が４から１６に増えるが、入力画像の解像度を縦横４倍にすることができる。
【００３２】
さらに、画像入力手段１０１の出力する画像データをインターレース画像とし、偶数フィールドと奇数フィールドとを別の画像データとして扱い、分類手段１０４において、基本画素部分の偶奇情報も含めて分類するようにしても良い。すなわち、この場合の分類は、（０．０，０．０）、（０．０，０．５）、（０．０，１．０）、（０．０，１．５）、（０．５，０．０）、（０．５，０．５）、（０．５，１．０）、及び（０．５，１．５）の8通りとなる。
【００３３】
（実施の形態２）
図２は、本発明の実施の形態２による画像入力装置の構成を示すブロック図である。２０１は撮像手段（撮像素子、移動手段）であって、ＣＣＤなどの撮像板上の映像情報を電気信号に変換し、これを画像データとして出力するものであり、かつ、この撮像板を微少移動させるための移動手段を備えている。移動手段としては、例えば、ピエゾ素子などが利用可能である。移動は、縦横とも、撮像板上での０．５画素に相当する長さであって、移動の結果生じる位置の数は、実施の形態１での動きベクトルの分類数と同じ4である。また、移動量はそれぞれ、（０．０，０．０）、（０．０，０．５）、（０．５，０．０）、及び（０．５，０．５）となる。
【００３４】
また、移動の時期は、各画像データの撮像中を避けるようにする。例えば、インターレース画像の場合であれば、垂直走査帰線期間中に移動させれば良い。いつ、どの移動を行うかは、例えば、上記４種類を順番に選んでも良いし、または、ランダムに選択しても良い。２０２は、実施の形態１で説明した、画像入力装置である。
【００３５】
なお、いつ、どの移動を行うかについてであるが、画像入力装置２０２中の分類手段１０４におけるカウンタ値に応じて、動きベクトルを選択しても良い。すなわち、最小カウンタ値を示すカウンタに相当する分類を、次の撮像において撮像し易くするように制御すれば良いわけで、例えば、本分類に相当する動きベクトルを、そのまま、撮像板の移動量とすれば良い。もしくは、最小カウンタ値を示すカウンタに相当する動きベクトルと、最大カウンタ値を示すカウンタに相当する動きベクトルとの差を移動量としても良い。さらに、最大カウンタ値を示すカウンタに相当する動きベクトルの代わりに、最近の動きベクトルのうち最も発生頻度の高いものを用いることもできる。
【００３６】
以上の構成により、間欠的に入力撮像板を移動させることで、人の手の微少な動きにより生じる動きベクトルに関する各分類の発生頻度をより一様分布に近付けることができ、所望の補間画素の画素点を効率良く収集することが可能になる。
【００３７】
（実施の形態３）
図３は、本発明の実施の形態３による画像入力装置の構成を示すブロック図である。画像入力手段１０１（入力手段）、画像記憶手段１０２、動きベクトル検出手段１０３（検出手段）、分類手段１０４、画像記録手段１０５（記録手段）、画像生成手段１０６は、実施の形態１と同一である。
【００３８】
３０１はデータ送信手段（送信手段）であって、画像記憶手段１０２が記憶している以前の画像データと、分類手段１０４からの動きベクトルと、それに対応した画像入力手段１０１からの現在の画像データとを送信する。但し、現在の画像データを送信するのは、分類手段１０４から「記録ＯＫ」信号が来た場合のみであって、「記録ＮＧ」信号が来た場合には、画像データ及び動きベクトルは送信されない。３０２はデータ受信手段（受信手段）であって、データ送信手段３０１から以前の画像データを受信し、画像記録手段１０５に記録する。また、データ受信手段３０２は、データ送信手段３０１から動きベクトルと、それに対応した現在の画像データとを受信し、これらを画像記録手段１０５に記録する。なお、データ送信手段３０１及びデータ受信手段３０２において用いる伝送方式としては、携帯電話やＰＨＳなどでのデータ通信方式を用いれば良い。
【００３９】
以上の構成により、データ送信手段３０１とデータ受信手段３０２を用いることによって、大きなメモリ容量を要する画像記録手段１０５と、高性能ＣＰＵを要するため消費電力の大きな画像生成手段１０６との両方を送信側から分離して受信側に設けることで、画像入力手段１０１を備えた携帯電話やＰＨＳ等の携帯情報端末から、メモリ容量の増大、それによる消費電力の増大、またそれによるバッテリの大容量化に伴う携帯情報端末の体積や質量の増大を招く要因を排除することが可能になる。
【００４０】
このようにして、本実施形態の画像入力装置が適用される携帯情報端末を実現性のあるものにすることができる。
【００４１】
なお、本実施形態において、データ送信手段３０１とデータ受信手段３０２にて用いる携帯電話やＰＨＳでのデータ通信方式の逆方向回線を利用して、画像生成手段１０６の出力結果を携帯情報端末の方へ伝送するようにしても良い。
【００４２】
【発明の効果】
以上説明したように、本発明によれば、撮像素子の解像度以上の解像度を有する画像を得るために、インターレース画像が入力された場合でも、所望の画素点を効率良く収集可能な入力画像方法を提供することが可能になると共に、収集した画像を記録するメモリの容量を現実用途に適したものとして、携帯に利便な小型軽量の画像入力装置を提供することが可能になる。
【００４３】
以上のように、本発明の効果は大きく、実施に伴う利益は非常に大である。
【図面の簡単な説明】
【図１】  本発明の実施の形態１による画像入力装置の構成を示すブロック図
【図２】  本発明の実施の形態２による画像入力装置の構成を示すブロック図
【図３】  本発明の実施の形態３による画像入力装置の構成を示すブロック図
【図４】  ノンインターレース画像４０１とインターレース画像４０２の補間画素点を示す模式図である。
【符号の説明】
１０１  画像入力手段（入力手段）
１０２  画像記憶手段
１０３  動きベクトル検出手段（検出手段）
１０４  分類手段
１０５  画像記録手段（記録手段）
１０６  画像生成手段
２０１  撮像手段（撮像素子、移動手段）
３０１  データ送信手段（送信手段）
３０２  データ受信手段（受信手段）
【図１】
0004245752.tif 000002
【図２】
0004245752.tif 000003
【図３】
0004245752.tif 000004
【図４】
0004245752.tif 000005